(57)【特許請求の範囲】
【請求項１】
天井又は壁に配設され、空気調和対象の室内空間に上流側から供給された調和空気を吹出す吹出口装置において、
調和空気を通過させる開口部を取囲んだ枠状体として形成され、室内空間側の周縁部に額縁部を有してなり、天井又は壁に配設される吹出口本体と、
弾性材からなる細長い略線状体で形成され、長手方向に連続する溝部を設けられ、当該溝部に前記吹出口本体の額縁部の外縁部を挿入した状態として額縁部全周に係合させて配設され、額縁部外縁部と天井又は壁間に介在し、前記溝部を挟む二部分のうち一方を額縁部の外側に露出させるシール体とを備え、
当該シール体における、前記溝部を挟む二部分のうち額縁部の外側に露出する前記一方の部分が、額縁部の外縁部に沿うと共に、天井又は壁から遠い側の端部位置を前記外縁部の端部と一致させる大きさとされてなることを
特徴とする吹出口装置。
【請求項２】
前記請求項１に記載の吹出口装置において、
前記シール体が、天井又は壁との接触部位で天井又は壁との接触関係をそのまま維持しつつ、前記接触部位より額縁部寄りの部分で、額縁部の温度変化に伴う変形に応じて弾性変形可能な弾性変形能を有することを
特徴とする吹出口装置。
【請求項３】
前記請求項１に記載の吹出口装置において、
前記シール体が、少なくとも前記天井又は壁との接触面を、天井又は壁に対して滑りを生じさせる低摩擦係数の表面状態とされてなることを
特徴とする吹出口装置。
【請求項４】
前記請求項１ないし３のいずれかに記載の吹出口装置において、
前記シール体が、前記溝部を挟む二部分のうち額縁部の外側に露出しない他方の部分における天井又は壁から遠い側の端部より、額縁部の外縁部から離れる向きへ突出させて形成される補助当接片を有し、当該補助当接片がシール体長手方向に連続する形状とされてなり、
前記補助当接片の先端部分を、少なくとも補助当接片自体の弾性力で天井又は壁に押付けて当接させることを
特徴とする吹出口装置。
【請求項５】
前記請求項１ないし３のいずれかに記載の吹出口装置において、
前記シール体が、前記溝部を挟む二部分のうち額縁部の外側に露出しない他方の部分における天井又は壁から遠い側の端部より、額縁部の外縁部から離れる向きへ突出させて形成される補助当接部を有し、当該補助当接部がシール体長手方向に連続する形状とされてなり、
前記補助当接部の先端部分を、額縁部における前記吹出口本体の開口部寄りの端部に当接させると共に、補助当接部の中間部分を、少なくとも補助当接部自体の弾性力で天井又は壁に押付けて当接させることを
特徴とする吹出口装置。
【発明の詳細な説明】
【技術分野】
【０００１】
本発明は、空気調和対象の室内空間に調和空気を吹出して空気調和を行う吹出口装置に関し、特に調和空気の吹出で生じた温度変化に伴う変形の影響を緩和する吹出口装置に関する。
【背景技術】
【０００２】
空気調和設備において、ダクトを通じて送られる調和空気を空気調和対象の室内空間に吹出す吹出口装置は、一般にその装置開口部を、室内空間に面する天井又は壁に穿設された開口孔の範囲にちょうど位置させて、この開口部から調和空気を室内空間に吹出すものとなっている。
【０００３】
こうした吹出口装置の場合、室内側の開口部周縁に枠状の額縁部を設け、この額縁部を天井又は壁の開口孔周囲に密着させることで、天井又は壁の開口孔を直接室内からは見えないようにし、美観を維持している。このような従来の吹出口装置の一例として、特開平９−６０９５８号公報に開示されるものがある。
【先行技術文献】
【特許文献】
【０００４】
【特許文献１】特開平９−６０９５８号公報
【発明の概要】
【発明が解決しようとする課題】
【０００５】
従来の吹出口装置は前記特許文献に示される構成となっているが、こうした吹出口装置で空気調和を行う場合、吹出す調和空気との接触に伴い、時間経過と共に装置各部が調和空気の温度に近付いていく。一般に吹出口装置は、天井材や壁材より伝熱性の優れた金属等で形成されているため、天井や壁より早く調和空気の温度に達する。
【０００６】
一方、吹出口装置は常時調和空気を吹出しているわけではなく、省エネルギー目的や室温調整のために、一定時間おきに調和空気を吹出すなど間欠的に空気調和を実行することがあり、また、室内空間に人が入らない場合に休止状態とされることもある。吹出口装置が調和空気の吹出を停止し、空気調和を行わない間は、吹出口装置は室内空間の空気と接して、時間経過と共にその温度に近付くこととなる。そして、調和空気の吹出を停止した期間が長くなると、吹出口装置は室内空気とほぼ同じ温度に達する。
【０００７】
ここで、調和空気と室内空間の既存空気との温度の差が大きく、且つ吹出口装置の調和空気吹出を停止していた期間が長く、吹出口装置各部の温度が室内空気に近いものとなっている場合を考えると、吹出口装置が調和空気の吹出を開始すると、温度差のある調和空気の接触に伴って吹出口装置各部が急激に温度を変化させることで、温度変化に伴う装置各部の膨張又は収縮の変形量も大きなものとなる。特にライン型吹出口の場合、吹出口額縁部の長辺寸法が大きくなることに伴って、額縁部の長辺における温度変化による変形量は大きくなる。
【０００８】
これに対し、吹出口装置が設置される天井又は壁は、空気調和前の室内空気とほぼ同じ温度であり、調和空気が吹出されても、その温度は室内温度の緩やかな変化と共にゆっくりと変化し、温度変化に伴う変形量は極めて小さい。このため、吹出口装置の設置位置で額縁部と天井又は壁とが接触している中、吹出口装置で調和空気の吹出停止状態から新たに吹出を開始すると、額縁部は急激な温度変化に伴う変形で、ほとんど変形のない天井又
は壁に対して各部で変位しようとする。
【０００９】
また、逆に、吹出口装置が吹出を継続して調和空気とほぼ同じ温度に達している一方で、天井又は壁空気調和前の室内空気温度とほとんど変らない温度を維持している状況で、調和空気の吹出を停止すると、吹出口装置の額縁部は調和空気に近い温度から室内温度まで温度変化する過程で変形して、前記同様ほとんど変形のない天井又は壁に対して各部で変位しようとする。
【００１０】
こうして吹出口装置の額縁部が温度変化に伴う変形で変位しようとする際、接触する天井又は壁との摩擦が大きい場合や、額縁部端部が塗装された天井又は壁の塗膜に食込んでいる場合など、額縁部各部が天井又は壁に対し変位しにくい状態にあると、接触する天井又は壁により額縁部各部の変位が制限され、額縁部をはじめとする吹出口装置各部に歪みが生じていく。この歪みがある程度蓄積されて大きくなり、限界に達すると、額縁部が天井又は壁に対し歪みを解消するように動き、天井又は壁に接する額縁部が急激に動くことで、擦れ音やきしみ音、打音等の異音を発生させ、室内空間の静穏性に悪影響を及してしまうという課題を有していた。
【００１１】
特に、夜間等に室内空間を快適な状態に維持するために、自動的に調和空気の吹出と停止が所定時間ごとに交互に繰返されるような状況では、室内空間内の人に騒音として認識される程度に、異音発生が顕著になるという課題を有していた。
【００１２】
このような額縁部の温度変化に伴う変形が原因の異音発生を防止するために、天井又は壁に接する額縁部の端面に、吸音性のあるフェルトや植毛シートを貼付け、額縁部と天井又は壁との間にこうしたフェルト等を介在させる対策も従来から行われていたが、額縁部の細い端面にフェルトや植毛シートを貼り付けるのは困難で作業性に劣り、コスト高となる上、額縁部と天井又は壁との間にフェルト等を完全に収めるのは難しく、フェルト等が外側にはみ出した状態となって室内空間における美観を損ねてしまうという課題を有していた。
【００１３】
本発明は前記課題を解消するためになされたもので、室内空間に面する部分の美観を損うことなく、調和空気の吹出や吹出停止に起因する温度変化に伴って装置各部に熱膨張や熱収縮の変形が生じても、これらに係る異音の発生を抑制できる吹出口装置を提供することを目的とする。
【課題を解決するための手段】
【００１４】
本発明に係る吹出口装置は、天井又は壁に配設され、空気調和対象の室内空間に上流側から供給された調和空気を吹出す吹出口装置において、調和空気を通過させる開口部を取囲んだ枠状体として形成され、室内空間側の周縁部に額縁部を有してなり、天井又は壁に配設される吹出口本体と、弾性材からなる細長い略線状体で形成され、長手方向に連続する溝部を設けられ、当該溝部に前記吹出口本体の額縁部の外縁部を挿入した状態として額縁部全周に係合させて配設され、額縁部外縁部と天井又は壁間に介在し、前記溝部を挟む二部分のうち一方を額縁部の外側に露出させるシール体とを備え、当該シール体における、前記溝部を挟む二部分のうち額縁部の外側に露出する前記一方の部分が、額縁部の外縁部に沿うと共に、天井又は壁から遠い側の端部位置を前記外縁部の端部と一致させる大きさとされてなるものである。
【００１５】
このように本発明によれば、吹出口本体における額縁部の外縁部に、弾性材製のシール体を係合させ、額縁部外縁部と天井又は壁との間にシール体を介在させて、額縁部を天井又は壁に対しシール体を介して間接的に接触させ、額縁部の温度変化に伴う熱膨張、熱収縮の各変形に対応してシール体が弾性変形しつつ、額縁部各部の天井又は壁に対する変位
を許容して、額縁部を天井又は壁からの拘束を受けない状態とすることにより、調和空気の吹出や吹出停止に伴って吹出口本体各部が温度を変化させ、この温度変化により室内空間側の額縁部で熱膨張や熱収縮の変形が生じる際に、額縁部が係合するシール体を弾性変形させながら天井又は壁に対し問題なく各部を変位させられることとなり、変形に伴って変位しようとする額縁部が天井又は壁の拘束を受けて歪みを生じることもなく、歪みの蓄積とその解放による額縁部と天井又は壁との位置関係の急激な変化に伴う異音の発生を抑えられる。また、シール体の額縁部外側に露出する部分を額縁部外縁部に沿わせると共に、その端部位置を額縁部外縁部の端部位置と一致させることで、シール体の額縁部外側に露出する部分と額縁部との間に段差は生じず、またシール体の介在で額縁部と天井又は壁との間にも隙間は生じないこととなり、室内空間側から見た額縁部の美観をシール体で損うことがない上、額縁部の変形前後で美観を損ねないシール体装着状態をそのまま維持できる。
【００１６】
また、本発明に係る吹出口装置は必要に応じて、前記シール体が、天井又は壁との接触部位で天井又は壁との接触関係をそのまま維持しつつ、前記接触部位より額縁部寄りの部分で、額縁部の温度変化に伴う変形に応じて弾性変形可能な弾性変形能を有するものである。
【００１７】
このように本発明によれば、シール体を十分な弾性変形能を有するものとし、調和空気の吹出や吹出停止に伴って吹出口本体各部が温度を変化させ、この温度変化に伴う変形が額縁部に生じた場合に、シール体が天井又は壁との接触部位における天井又は壁に対する接触関係をほとんど変えずに、シール体は額縁部各部の変形に応じて弾性変形し、額縁部各部の天井又は壁に対する相対移動を許容することにより、天井又は壁に接する部位が変位しないシール体と天井又は壁との間では摩擦が生じず、額縁部の温度変化に伴う変形の際に、弾性変形するシール体各部が天井又は壁に対し変位して擦れることで生じるおそれのある異音についても抑止でき、確実に額縁部付近からの異音発生を防げる。
【００１８】
また、本発明に係る吹出口装置は必要に応じて、前記シール体が、少なくとも前記天井又は壁との接触面を、天井又は壁に対して滑りを生じさせる低摩擦係数の表面状態とされてなるものである。
【００１９】
このように本発明によれば、シール体の天井又は壁との接触面が低摩擦係数の表面として形成され、調和空気の吹出や吹出停止に伴って吹出口本体各部が温度を変化させ、この温度変化に伴う変形が額縁部に生じた場合に、シール体が額縁部の変形に応じて必要最小限弾性変形すると共に、弾性変形するシール体が天井又は壁に対し滑って、シール体各部の弾性変形に付随する天井又は壁に対する変位を許容することにより、額縁部の変形に対応してシール体が弾性変形し、天井又は壁に対しシール体が変位する状況でも、シール体と天井又は壁との間では摩擦が生じず、額縁部の温度変化に伴う変形の際に、弾性変形するシール体が天井又は壁に対し変位して擦れることで生じるおそれのある異音についても抑止でき、確実に額縁部付近からの異音発生を防げる。
【００２０】
また、本発明に係る吹出口装置は必要に応じて、前記シール体が、前記溝部を挟む二部分のうち額縁部の外側に露出しない他方の部分における天井又は壁から遠い側の端部より、額縁部の外縁部から離れる向きへ突出させて形成される補助当接片を有し、当該補助当接片がシール体長手方向に連続する形状とされてなり、前記補助当接片の先端部分を、少なくとも補助当接片自体の弾性力で天井又は壁に押付けて当接させるものである。
【００２１】
このように本発明によれば、シール体のうち額縁部の外縁部の内周側に位置する部分に補助当接片を形成し、シール体が額縁部の外縁部と係合する部位で天井又は壁に接すると共に、さらに外縁部より内周側で補助当接片の先端部分を天井又は壁と当接させることに
より、吹出口本体外周と天井又は壁の開口孔の周縁との間の隙間を通った空気が、額縁部に係合したシール体と天井又は壁との間を抜けようとするのを、シール体が天井又は壁と二重に接して抑制することができ、額縁部と天井又は壁との間からの空気の漏れをより確実に抑えられ、空気の漏れが原因の天井又は壁の汚損や結露を防止できる。
【００２２】
また、本発明に係る吹出口装置は必要に応じて、前記シール体が、前記溝部を挟む二部分のうち額縁部の外側に露出しない他方の部分における天井又は壁から遠い側の端部より、額縁部の外縁部から離れる向きへ突出させて形成される補助当接部を有し、当該補助当接部がシール体長手方向に連続する形状とされてなり、前記補助当接部の先端部分を、額縁部における前記吹出口本体の開口部寄りの端部に当接させると共に、補助当接部の中間部分を、少なくとも補助当接部自体の弾性力で天井又は壁に押付けて当接させるものである。
【００２３】
このように本発明によれば、シール体のうち額縁部の外縁部の内周側に位置する部分に補助当接部を形成し、シール体が額縁部の外縁部と係合する部位で天井又は壁に接すると共に、さらに外縁部より内周側で補助当接部の中間部分をを天井又は壁と当接させることにより、吹出口本体外周と天井又は壁の開口孔の周縁との間の隙間を通った空気が、額縁部に係合したシール体と天井又は壁との間を抜けようとするのを、シール体が天井又は壁と二重に接して抑制することができ、額縁部と天井又は壁との間からの空気の漏れをより確実に抑えられ、空気の漏れが原因の天井又は壁の汚損や結露を防止できる。
【図面の簡単な説明】
【００２４】
【図１】本発明の第１の実施形態に係る吹出口装置の底面図である。
【図２】本発明の第１の実施形態に係る吹出口装置の縦断面図である。
【図３】本発明の第１の実施形態に係る吹出口装置に用いるシール体の概略斜視図である。
【図４】本発明の第１の実施形態に係る吹出口装置における額縁部の拡大縦断面図である。
【図５】本発明の第１の実施形態に係る吹出口装置の長手方向における熱収縮状態説明図である。
【図６】本発明の第１の実施形態に係る吹出口装置の長手方向における熱膨張状態説明図である。
【図７】本発明の第１の実施形態に係る吹出口装置における他のカバー部配設状態説明図である。
【図８】本発明の第２の実施形態に係る吹出口装置における額縁部の拡大縦断面図である。
【図９】本発明の第３の実施形態に係る吹出口装置における額縁部の拡大縦断面図である。
【発明を実施するための形態】
【００２５】
（本発明の第１の実施形態）
以下、本発明の第１の実施形態に係る吹出口装置を前記図１ないし図６に基づいて説明する。
前記各図において本実施形態に係る吹出口装置１は、矩形状の開口部１０ａを取囲む矩形の枠状体で形成され、室内空間側の周縁部に額縁部１１を有してなり、天井５０に配設
される吹出口本体１０と、この吹出口本体１０における額縁部１１の全周に係合させて配設される弾性材製のシール体１２とを備える構成である。
【００２６】
前記吹出口本体１０は、ライン型吹出口として、中心の矩形状の開口部１０ａを取囲む略枠状体で形成され、天井５０の開口孔位置に天井裏空間と空気調和対象の室内空間のそれぞれに面する状態で支持される構成である。この吹出口本体１０は、開口部１０ａのうち、天井裏空間に向けられた側の端部でダクト５１から調和空気を導入し、開口部１０ａを通過した調和空気を室内空間に面する側の端部から室内空間に吹出せる仕組みである。
【００２７】
吹出口本体１０の室内空間側の端部には、外周側に所定幅突出拡張した額縁部１１が形成される。額縁部１１は、吹出口本体１０の室内空間側の端部から開口部１０ａとは反対の外周側に突出した凸部分を周方向へ連続させ、さらに最外周部分を室内空間から天井５０側へ向う方向に起立状態とした形状とされ、天井５０の室内空間に面する下面に沿わせた状態で固定される。
【００２８】
前記額縁部１１の天井５０に面する部分は、天井５０側へ向って起立する最外周の外縁部１１ａと吹出口本体１１の開口部１０ａに面する部分とに挟まれて、周方向に連続する略溝状の凹部１１ｂとなっており、天井５０への取付状態で額縁部１１と天井５０とに囲まれた空間を生じることとなる。
【００２９】
この額縁枠１１の凹部１１ｂには、額縁枠１１と天井５０にそれぞれ当接して、天井裏から開口孔を通った空気が額縁部１１と天井５０との隙間から抜けるのを防止する弾性材製の封止体１３が配設される。
【００３０】
前記シール体１２は、弾性材、例えば、塩化ビニル樹脂材、からなる可撓性を有する細長い略線状体で形成され、長手方向に連続する溝部１２ａを設けられて、略Ｕ字状の断面形状を有し、前記溝部１２ａに、吹出口本体１０の額縁部１１における天井５０側へ向って起立する最外周の外縁部１１ａを挿入した状態として、額縁部１１全周に係合させて配設される構成である。シール体１２はこの額縁部１１の外縁部１１ａへの係合状態で、溝部１２ａを挟む二部分のうち一方を額縁部１１外側に露出させた状態で、額縁部１１と天井５０間に介在し、弾性変形しつつ天井５０に当接することとなる。
【００３１】
額縁部１１より伝熱性に劣るシール体１２が、額縁部１１と天井５０間に介在することで、額縁部１１側から天井５０への伝熱を抑えることができ、特に空気調和が冷房として行われる場合、天井材の温度低下を防止し、天井５０が温かい室内空気と接触した際の結露を防げる。
【００３２】
このシール体１２における、溝部１２ａを挟む二部分のうち、額縁部１１の外側に露出する前記一方の部分、すなわち、額縁部１１の外縁部１１ａより外周側に位置する部分は、外縁部１１ａに沿うと共に、その天井５０から遠い側の端部位置を外縁部１１ａの室内空間寄り端部と一致させる大きさとされる構成である。
【００３３】
こうして、シール体１２の額縁部１１の外側に露出する部分の端部位置を外縁部１１ａと一致させることで、シール体１２と額縁部１１との間に段差が生じず、額縁部１１とシール体１２に一体感を与えることができ、室内空間側から見た額縁部１１の美観をシール体１２の配設で損うようなことはない。なお、シール体１２の額縁部１１への配設においては、シール体１２同士の継目が必要最小限となるよう、シール体１２を一本のみ用いて、額縁部１１各辺の外縁部１１ａに連続させてシール体１２を係合させるのが好ましい。
【００３４】
次に、前記構成に基づく吹出口装置における吹出状態に伴う額縁部とシール体の変化に
ついて説明する。吹出口装置１が調和空気の吹出をしばらく停止し、額縁部１１をはじめとする吹出口本体１０が室内空気とほぼ同じ温度に達している状態で、吹出口装置１による調和空気の吹出が新たに開始されると、天井裏空間のダクト５１から送られた調和空気は、吹出口本体１０の開口部１０ａに進入し、室内空間に吹出される。そして、吹出口本体１０各部は、吹出す調和空気との接触に伴い、時間経過と共に調和空気の温度に近付いていく。
【００３５】
吹出口本体１０各部が、室内空気とほぼ同じ温度から、調和空気の温度へ急激に変化していくことで、温度変化に伴う各部の膨張又は収縮の変形量も大きなものとなる。特に額縁部１１における長辺部分の温度変化による変形量が大きくなる。
【００３６】
これに対し、天井５０は、調和空気の吹出に伴い、空気調和前の室内空気とほぼ同じ温度から、その温度を室内温度の緩やかな変化と共にゆっくりと変化させていき、額縁部１１に比べて、温度変化に伴う変形量は極めて小さい。こうして、調和空気吹出後の急激な温度変化に伴う変形で、額縁部１１各部はほとんど変形のない天井５０に対してそれぞれ変位しようとする。
【００３７】
冷房の場合、吹出口本体１０各部が、冷たい調和空気との接触で、室内空気とほぼ同じ温度から急激に温度を低下させていき、各部に熱収縮の変形が生じ、熱収縮の変形量が極めて小さい天井５０に対し、額縁部１１各部がその端部側から中心側に向って進むように変位しようとする（図５参照）。
【００３８】
また暖房の場合には、吹出口本体１０各部が、暖かい調和空気との接触で、室内空気とほぼ同じ温度から急激に温度を上昇させていき、各部に熱膨張の変形が生じ、熱膨張の変形量が極めて小さい天井５０に対し、額縁部１１各部がその中心側から端部側に向って進むように変位しようとする（図６参照）。
【００３９】
こうして天井５０に対し変位しようとする額縁部１１に対し、シール体１２が係合し、額縁部１１と天井５０との間に介在していることで、額縁部１１は、シール体１２の一部変形を伴いながら、天井５０に対し接触による摩擦抵抗を受けることなく相対移動できる。額縁部１１が天井５０の拘束を受けず、温度変化に伴ってスムーズに熱膨張や熱収縮の変形が進行していくことで、歪みが蓄積されて額縁部１１と天井５０との位置関係に急激な変化が生じるような事態を防止し、異音を発生させない。
【００４０】
額縁部１１の変形に合わせて、シール体１２は主に長手方向に弾性変形しながら、天井５０と接触する部分では擦れ、すなわち摩擦を生じるが、このシール体１２は、弾性変形するために歪みが蓄積されることはなく、またシール体１２表面は天井５０に対し、額縁部１１が天井５０に直接当接する場合より摩擦抵抗の小さい性質を有することで、シール体１２と天井５０との関係で異音を生じることはない。
【００４１】
続いて、上記とは逆に、吹出口装置１が調和空気の吹出をしばらく継続して、額縁部１１をはじめとする吹出口本体１０が調和空気とほぼ同じ温度に達している状態から、吹出口装置１による調和空気の吹出を停止し、この吹出停止状態が続く状況では、吹出口本体１０各部は、調和空気に代って室内空気との接触に伴い、時間経過と共に室内の温度に近付いていく。
【００４２】
吹出口本体１０各部が、調和空気とほぼ同じ温度から、これと温度差のある室内の温度へ変化していくことで、温度変化に伴う各部の膨張又は収縮の変形量も大きなものとなる。これに対し、天井５０は、空気調和中の室内空気とほぼ同じ温度から、その温度を室内温度の緩やかな変化と共にゆっくりと変化させていき、額縁部１１に比べて、温度変化に
伴う変形量は極めて小さい。こうして、調和空気吹出停止後の急激な温度変化に伴う変形で、額縁部１１各部はほとんど変形のない天井５０に対してそれぞれ変位しようとする。
【００４３】
冷房後の場合、吹出口本体１０各部が、冷たい調和空気に代る室内空気との接触で、調和空気とほぼ同じ温度から急激に温度を上昇させていき、各部に熱膨張の変形が生じ、熱膨張の変形量が極めて小さい天井５０に対し、額縁部１１各部がその中心側から端部側に向って進むように変位しようとする。
【００４４】
また暖房後の場合には、吹出口本体１０各部が、暖かい調和空気に代る室内空気との接触で、調和空気とほぼ同じ温度から急激に温度を低下させていき、各部に熱収縮の変形が生じ、熱収縮の変形量が極めて小さい天井５０に対し、額縁部１１各部がその端部側から中心側に向って進むように変位しようとする。
【００４５】
前記同様、天井５０に対し変位しようとする額縁部１１に対し、シール体１２が係合し、額縁部１１と天井５０との間に介在していることで、額縁部１１は、シール体１２の一部変形を伴いながら、天井５０に対し接触による摩擦抵抗を受けることなく移動できる。額縁部１１が天井５０の拘束を受けず、温度変化に伴ってスムーズに熱膨張や熱収縮の変形が進行していくことで、前記同様に異音の発生はない。
【００４６】
額縁部１１の温度変化に伴う変形に際し、シール体１２は額縁部１１に対応してその長手方向に変形するものの、シール体１２の上下方向の変形は長手方向の変形量に対し極めて小さくなっており、シール体１２における額縁部１１の外側に露出する部分の端部位置が、外縁部１１ａと一致する状態はほとんど変化せず、シール体１２と額縁部１１との間に段差が生じるようなことはない。また、シール体１２と天井５０との間に隙間も生じず、シール体１２全体として美観を損ねない装着状態を維持できる。
【００４７】
このように、本実施形態に係る吹出口装置においては、吹出口本体１０における額縁部１１の外縁部１１ａに、弾性体のシール体１２を係合させ、外縁部１１ａと天井５０との間にシール体１２を介在させて、額縁部１１を天井５０に対しシール体１２を介して間接的に接触させ、額縁部１１の温度変化に伴う熱膨張、熱収縮の各変形に対応してシール体１２が弾性変形しつつ、額縁部１１各部の天井５０に対する変位を許容して、額縁部１１を天井５０からの拘束を受けない状態とすることから、調和空気の吹出や吹出停止に伴って吹出口本体１０各部が温度を変化させ、この温度変化により額縁部１１で熱膨張や熱収縮の変形が生じる際に、額縁部１１が係合するシール体を弾性変形させながら天井５０に対し問題なく各部を変位させられることとなり、変形に伴って変位しようとする額縁部１１各部が天井５０の拘束を受けて歪みを生じることもなく、歪みの蓄積とその解放による額縁部１１と天井５０との位置関係の急激な変化に伴う異音の発生を抑えられる。
【００４８】
なお、前記実施形態に係る吹出口装置においては、吹出口をライン型として形成する構成としているが、これに限らず、額縁部のある他の吹出口形状、例えば丸型、あるいは角型の、多層コーン型やパン型の吹出口に適用する構成とすることができる。
【００４９】
また、前記実施形態に係る吹出口装置においては、シール体１２として、弾性体で且つその表面が額縁部１１よりも天井５０に対する摩擦抵抗の小さい性質を有するもの、例えば塩化ビニル樹脂等を用いる構成としているが、これに限らず、吹出口装置を設ける天井又は壁が摩擦抵抗の大きい材質とされ、シール体と天井又は壁との摩擦でも異音が発生するおそれのある場合には、シール体をフッ素樹脂等の摩擦係数の低い弾性体としたり、シール体の天井又は壁に接する表面を低摩擦係数の滑りやすい面となるように表面処理等加工する構成とすることもでき、シール体と天井又は壁とを滑らかに摺動させて異音発生等の異常を避けられる。この他、シール体の弾性変形能をさらに大きくして、シール体の天
井又は壁に接する部位が動かない状態を維持しても、シール体の他部分の弾性変形で額縁部の温度変化による変形に十分対応できる構成とすることもでき、シール体と天井又は壁との間で摩擦が生じることがなく、シール体と天井又は壁との間で異音が発生する余地をなくして、額縁部の温度変化に伴う変形に起因する異音発生を確実に防止できる。
【００５０】
また、前記実施形態に係る吹出口装置において、シール体１２は、このシール体１２における溝部１２ａを挟んで額縁部１１の外縁部１１ａ外周側に位置する部分と内周側に位置する部分との大きさをほぼ一致させた略Ｕ字状の断面形状を有する構成としているが、これに限らず、図７に示すように、シール体１４を、額縁部１１の外縁部１１ａ外周側に位置する部分に対し、内周側に位置する部分の大きさを小さくした、略Ｊ字状断面形状を有する構成としてもかまわない。
【００５１】
（本発明の第２の実施形態）
本発明の第２の実施形態に係る吹出口装置を図８に基づいて説明する。
前記図８において本実施形態に係る吹出口装置は、前記第１の実施形態同様、吹出口本体２０と、額縁部２１と、シール体２２とを備える一方、異なる点として、シール体２２が、溝部２２ａを挟む二部分のうち額縁部２１の外側に露出しない他方の部分における天井５０から遠い側の端部より、額縁部２１の外縁部２１ａから離れる向きへ突出させて形成される補助当接片２２ｂを有し、シール体２２全体としては略Ｎ字状の断面形状として形成される構成を有するものである。なお、額縁部２１を含む吹出口本体２０は前記第１の実施形態同様の構成であり、説明を省略する。
【００５２】
前記シール体２２は、溝部２２ａを挟む二部分のうち額縁部２１の外側に露出しない他方の部分、すなわち、額縁部２１の外縁部２１ａより内周側に位置する部分と、この部分の天井５０から遠い側の端部より、外縁部２１ａから離れる向きへ突出させて形成される補助当接片２２ｂとを有する構成である。
【００５３】
補助当接片２２ｂは、シール体長手方向に連続する形状とされてなり、額縁部２１の凹部２１ｂに収った状態で、その先端部分、すなわち額縁部２１の外縁部２１ａから離れた端部を、補助当接片２２ｂ自体の弾性力で天井５０に押付けて当接させる。
【００５４】
この補助当接片２２ｂの先端部分は、先端に向うほど薄くなる舌片状とされると共に、先端を吹出口本体２０の開口部２０ａ側に向けた形状として形成されており、吹出口本体２０外周と天井５０の開口孔の周縁との間の隙間を通った空気の圧力が、凹部２１ｂのある額縁部２１と天井５０との間の空間に加わった場合でも、補助当接片２２ｂの先端部分が天井５０に押付けられる方向に力を受けることとなり、補助当接片２２ｂの先端部分は天井５０との密着状態を維持できる。
【００５５】
次に、前記構成に基づく吹出口装置における吹出状態に伴う額縁部とシール体の変化について説明する。吹出口装置が調和空気の吹出をしばらく停止し、吹出口本体２０が室内空気とほぼ同じ温度に達している状態で、吹出口装置による調和空気の吹出が新たに開始されると、前記第１の実施形態同様、吹出口本体２０各部は、室内空間へ吹出す調和空気との接触に伴い、時間経過と共に調和空気の温度に近付いていく。
【００５６】
冷房の場合、吹出口本体２０各部が、冷たい調和空気との接触で、室内空気とほぼ同じ温度から急激に温度を低下させていき、各部に熱収縮の変形が生じ、熱収縮の変形量が極めて小さい天井５０に対し、額縁部２１各部がその端部側から中心側に向って進むように変位しようとする。
【００５７】
また暖房の場合には、吹出口本体２０各部が、暖かい調和空気との接触で、室内空気と
ほぼ同じ温度から急激に温度を上昇させていき、各部に熱膨張の変形が生じ、熱膨張の変形量が極めて小さい天井５０に対し、額縁部２１各部がその中心側から端部側に向って進むように変位しようとする。
【００５８】
こうして天井５０に対し変位しようとする額縁部２１に対し、シール体２２が係合し、額縁部２１と天井５０との間に介在していることで、額縁部２１は天井５０の拘束を受けず、額縁部２１では温度変化に伴ってスムーズに熱膨張や熱収縮の変形が進行していくことで、歪みが蓄積されて額縁部２１と天井５０との位置関係に急激な変化が生じるような事態を防止でき、異音の発生はない。
【００５９】
また、額縁部２１の変形に合わせて、シール体２２は弾性変形しながら、天井５０と接触する部分では擦れ、すなわち摩擦を生じるが、弾性変形するシール体２２に歪みが蓄積されることはなく、且つシール体２２表面は額縁部２１の場合より天井５０に対し摩擦抵抗の小さい性質を有することで、シール体２２と天井５０との関係で異音を生じることはない。
【００６０】
この時、額縁部２１と天井５０の間では、調和空気の一部がダクト５１から開口部２０ａに進む代りに、吹出口本体２０外周と天井５０の開口孔の周縁との間の隙間に進入し、この隙間を抜けた調和空気の圧力がシール体２２に加わることとなるが、舌片状となっている補助当接片２２ｂの先端部分が、天井５０に押付けられる方向に力を受けることで、補助当接片２２ｂの先端部分と天井５０との密着状態が維持されることとなる（図８参照）。こうして、空気が補助当接片２２ｂと天井５０との間を抜けて額縁部２１の外側へ向けて進もうとするのを抑制でき、シール体２２における額縁部２１の外縁部２１ａと天井５０との間に介在する部位で空気の漏れを防げるのと合わせて、額縁部２１と天井５０との間を空気が抜けようとするのを、シール体２２で二重に阻止することができ、額縁部２１と天井５０との間からの空気の漏れを確実に抑えられ、この空気の漏れが原因で生じる天井５０の汚損や結露を防止できる。
【００６１】
続いて、上記とは逆に、吹出口装置２が調和空気の吹出をしばらく継続して、吹出口本体２０が調和空気とほぼ同じ温度に達している状態から、吹出口装置２による調和空気の吹出を停止し、この吹出停止状態が続く状況では、前記第１の実施形態同様、吹出口本体２０各部は、調和空気に代る室内空気との接触に伴い、時間経過と共に室内の温度に近付いていく。
【００６２】
冷房後の場合、吹出口本体２０各部が、冷たい調和空気に代る室内空気との接触で、調和空気とほぼ同じ温度から急激に温度を上昇させていき、各部に熱膨張の変形が生じ、熱膨張の変形量が極めて小さい天井５０に対し、額縁部２１各部がその中心側から端部側に向って進むように変位しようとする。
【００６３】
また暖房後の場合には、吹出口本体２０各部が、暖かい調和空気に代る室内空気との接触で、調和空気とほぼ同じ温度から急激に温度を低下させていき、各部に熱収縮の変形が生じ、熱収縮の変形量が極めて小さい天井５０に対し、額縁部２１各部がその端部側から中心側に向って進むように変位しようとする。
【００６４】
天井５０に対し変位しようとする額縁部２１に対し、シール体２２が額縁部２１と天井５０との間に介在していることで、前記同様に額縁部２１は天井５０の拘束を受けず、温度変化に伴ってスムーズに熱膨張や熱収縮の変形が進行していくこととなり、異音の発生はない。
【００６５】
このように、本実施形態に係る吹出口装置においては、シール体２２のうち額縁部２１
の外縁部２１ａの内周側に位置する部分に補助当接片２２ｂを形成し、シール体２２が外縁部２１ａと係合する部位で天井５０に接すると共に、さらに外縁部２１ａより内周側で補助当接片２２ｂの先端部分を天井５０と当接させることから、吹出口本体２０外周と天井５０の開口孔の周縁との間の隙間を通った空気が、額縁部２１に係合したシール体２２と天井５０との間を抜けようとするのを、シール体２２が天井５０と二重に接して抑制することができ、額縁部２１と天井５０との間からの空気の漏れをより確実に抑えられ、空気の漏れが原因の天井５０の汚損や結露を防止できる。
【００６６】
（本発明の第３の実施形態）
本発明の第３の実施形態に係る吹出口装置を図９に基づいて説明する。
前記図９において本実施形態に係る吹出口装置は、前記第１の実施形態同様、吹出口本体３０と、額縁部３１と、シール体３２とを備える一方、異なる点として、シール体３２が、溝部３２ａを挟む二部分のうち額縁部３１の外側に露出しない他方の部分における天井５０から遠い側の端部より、額縁部３１の外縁部３１ａから離れる向きへ突出させて形成される補助当接部３２ｂを有し、シール体３２全体としては略Ｍ字状の断面形状として形成される構成を有するものである。なお、額縁部３１を含む吹出口本体３０は前記第１の実施形態同様の構成であり、説明を省略する。
【００６７】
前記シール体３２は、溝部３２ａを挟む二部分のうち額縁部３１の外側に露出しない他方の部分、すなわち、額縁部３１の外縁部３１ａより内周側に位置する部分と、この部分の天井５０から遠い側の端部より、外縁部３１ａから離れる向きへ突出させて形成される補助当接部３２ｂとを有する構成である。
【００６８】
補助当接部３２ｂは、シール体長手方向に連続する形状とされてなり、額縁部３１の凹部３１ｂに収った状態で、その先端部分、すなわち額縁部３１の外縁部３１ａから離れた端部を、額縁部３１における吹出口本体３０の開口部３０ａ寄りの端部に当接させると共に、この補助当接部３２ｂにおける中間部分を、補助当接部３２ｂ自体の弾性力で天井５０に押付けて当接させている。
【００６９】
この補助当接部３２ｂは、その中間部分で曲げた状態で額縁部３１の凹部３１ｂに収められ、その先端部分が額縁部３１の端部に当接していることで、中間部分が最も高く盛上がって、且つ天井５０に当接して押し縮められる状態となっており、この押し縮められた分、補助当接部３２ｂ自体の元に戻ろうとする弾性力により、補助当接部３２ｂの中間部分は逆に天井５０に押付けられる形となり、こうして補助当接部３２ｂは天井５０との密着状態を維持できる。
【００７０】
次に、前記構成に基づく吹出口装置における吹出状態に伴う額縁部とシール体の変化について説明する。吹出口装置３が調和空気の吹出をしばらく停止し、吹出口本体３０が室内空気とほぼ同じ温度に達している状態で、吹出口装置３による調和空気の吹出が新たに開始されると、前記第１の実施形態同様、吹出口本体３０各部は、室内空間へ吹出す調和空気との接触に伴い、時間経過と共に調和空気の温度に近付いていく。
【００７１】
冷房の場合、吹出口本体３０各部が、冷たい調和空気との接触で、室内空気とほぼ同じ温度から急激に温度を低下させていき、各部に熱収縮の変形が生じ、熱収縮の変形量が極めて小さい天井５０に対し、額縁部３１各部がその端部側から中心側に向って進むように変位しようとする。
【００７２】
また暖房の場合には、吹出口本体３０各部が、暖かい調和空気との接触で、室内空気とほぼ同じ温度から急激に温度を上昇させていき、各部に熱膨張の変形が生じ、熱膨張の変形量が極めて小さい天井５０に対し、額縁部３１各部がその中心側から端部側に向って進
むように変位しようとする。
【００７３】
こうして天井５０に対し変位しようとする額縁部３１に対し、シール体３２が係合し、額縁部３１と天井５０との間に介在していることで、額縁部３１は天井５０の拘束を受けず、額縁部３１では温度変化に伴ってスムーズに熱膨張や熱収縮の変形が進行していくことで、額縁部３１には異音発生につながるような歪みは生じず、異音を防止できる。
【００７４】
この時、額縁部３１と天井５０の間では、調和空気の一部がダクト５１から開口部３０ａに進む代りに、吹出口本体３０外周と天井５０の開口孔の周縁との間の隙間に進入し、この隙間を抜けた調和空気の圧力がシール体３２に加わることとなるが、補助当接部３２ｂの中間部分が、弾性力で天井５０に押付けられることで、補助当接部３２ｂの中間部分と天井５０との密着状態が維持される（図９参照）。こうして、空気が補助当接部３２ｂと天井５０との間を抜けて額縁部３１の外側へ向けて進もうとするのを抑制でき、シール体３２における額縁部３１の外縁部３１ａと天井５０との間に介在する部位で空気の漏れを防げるのと合わせて、額縁部３１と天井５０との間を空気が抜けようとするのを、シール体３２で二重に阻止することができ、額縁部３１と天井５０との間からの空気の漏れを確実に抑えられ、この空気の漏れが原因で生じる天井５０の汚損や結露を防止できる。
【００７５】
調和空気の吹出継続により、吹出口本体３０が調和空気とほぼ同じ温度に達した後、吹出口装置３による調和空気の吹出が停止され、これが続いている状況における、額縁部３１と天井５０との間に介在するシール体３２により、額縁部３１が天井５０の拘束を受けることなく温度変化に伴って変形し、異音を発生させずに額縁部３１各部を天井５０に対し変位させる状態については、前記第１及び第２の実施形態と同様のものであり、説明を省略する。
【００７６】
このように、本実施形態に係る吹出口装置においては、シール体３２のうち額縁部３１の外縁部３１ａの内周側に位置する部分に補助当接部３２ｂを形成し、シール体３２が外縁部３１ａと係合する部位で天井５０に接すると共に、さらに外縁部３１ａより内周側で補助当接部３２ｂの中間部分を天井５０と当接させることから、吹出口本体３０外周と天井５０の開口孔の周縁との間の隙間を通った空気が、額縁部３１に係合したシール体３２と天井５０との間を抜けようとするのを、シール体３２が天井５０と二重に接して抑制することができ、額縁部３１と天井５０との間からの空気の漏れをより確実に抑えられ、空気の漏れが原因の天井５０の汚損や結露を防止できる。
【００７７】
なお、前記第１ないし第３の各実施形態に係る吹出口装置においては、吹出口装置を天井５０に配設する構成としているが、これに限らず、吹出口装置を壁に配設する構成とすることもでき、調和空気の吹出や吹出停止に伴って壁の吹出口本体各部が温度を変化させ、この温度変化により室内空間側の額縁部で熱膨張や熱収縮の変形が生じる際に、額縁部がこれと係合するシール体を弾性変形させながら壁に対し問題なく各部を変位させられ、変形に伴って変位しようとする額縁部が壁の拘束を受けて歪みを生じることもなく、歪みの蓄積とその解放による額縁部と壁との位置関係の急激な変化に伴う異音の発生を前記同様に抑えられる。
【符号の説明】
【００７８】
１                      吹出口装置
１０、２０、３０        吹出口本体
１０ａ、２０ａ、３０ａ  開口部
１１、２１、３１        額縁部
１１ａ、２１ａ、３１ａ  外縁部
１１ｂ、２１ｂ、３１ｂ  凹部
１２、１４、２２、３２  シール体
１２ａ、２２ａ、３２ａ  溝部
１３                    封止体
２２ｂ                  補助当接片
３２ｂ                  補助当接部
５０                    天井
５１                    ダクト
【図１】
0005468472.tif 000002
【図２】
0005468472.tif 000003
【図３】
0005468472.tif 000004
【図４】
0005468472.tif 000005
【図５】
0005468472.tif 000006
【図６】
0005468472.tif 000007
【図７】
0005468472.tif 000008
【図８】
0005468472.tif 000009
【図９】
0005468472.tif 000010